【手続補正書】
【提出日】平成20年9月26日(2008.9.26)
【手続補正１】
【補正対象書類名】明細書
【補正対象項目名】特許請求の範囲
【補正方法】変更
【補正の内容】
【特許請求の範囲】
【請求項１】  育苗鉢と保持具とからなり、上記育苗鉢は、下部から上部に向かって徐々に広く形成した筒状の小鉢を上端接続部により縦横に多数連接し、上端周縁に鍔部を設け、各小鉢の下端開口部内側には、該開口部内に適合する皿状に形成した底部に小径の水抜き孔を設け、底部を小鉢上端部近くの位置に移動し得る支持脚を底部下側に設けた鉢底を嵌合してあり、上記保持具は、育苗鉢の鍔部を支持して、鉢底で小鉢下端部を閉塞できる位置に育苗鉢を保持し得るように形成してあることを特徴とする育苗器。
【請求項２】  育苗鉢とトレーと保持具とからなり、上記育苗鉢は、下部から上部に向かって徐々に広く形成した筒状の小鉢を上端接続部により縦横に多数連接し、各小鉢の下端開口部内側には、該開口部内に適合する皿状に形成した底部に小径の水抜き孔を設け、底部を小鉢上端部近くの位置に移動し得る支持脚を底部下側に設けた鉢底を嵌合してあり、上記トレーは、前記育苗鉢の各支持脚を載せ得る広さに形成してあり、上記保持具は、育苗鉢の鍔部とトレー間に係脱可能に立設し、鉢底で小鉢下端部を閉塞できる位置に育苗鉢を保持し得るように形成してあることを特徴とする育苗器。
【請求項３】  前記保持具は、保持板の下端部をトレーの周縁部適所に軸着してあることを特徴とする請求項２記載の育苗器。
【請求項４】  育苗鉢の裏面又はトレーの上面の適所に所定長さのストッパーを設けて、育苗鉢の降下時、小鉢上端部が鉢底近くの位置で停止し得るようにしたことを特徴とする請求項１、２又は３記載の育苗器。
【請求項５】  前記育苗鉢は、複数個に分割可能に形成してあることを特徴とする請求項１乃至４の何れかの項記載の育苗器。
【請求項６】  前記鉢底の支持脚は、トレー上面に一体に形成してあることを特徴とする請求項２乃至５の何れかの項記載の育苗器。
【請求項７】  前記保持具は、角枠状に形成し、その上側で育苗鉢の鍔部及び連接部裏側を支持できるようにした請求項１記載の育苗器。
【請求項８】  前記保持具は、育苗鉢の鍔部下側に一体に設けてなり、前記鉢底で小鉢下端部を閉塞できる位置に育苗鉢を保持し得るようにしてあることを特徴とする請求項１記載の育苗器。
【手続補正２】
【補正対象書類名】明細書
【補正対象項目名】発明の詳細な説明
【補正方法】変更
【補正の内容】
【発明の詳細な説明】
【０００１】
【発明が属する技術分野】
本発明は、野菜、花、果物等の種を播種し、発芽後移植可能な大きさに育成するまで小さな苗室で囲って一株毎に育成するための育苗器に関する。
【０００２】
【従来の技術】  
従来、この種育苗器として、移植時に苗を取り易くするために薄肉合成樹脂製のポット体の底部に苗を押し出すための広径の抜き穴を設け、各ポット体の上端外側部を互いに連接することにより、縦横に多数個整列配置したものが一般的に使用されている。
【０００３】
【発明が解決しようとする課題】
しかし、育成した苗を移植する際には、抜取り棒を底部の抜き穴より差し込んで、根土部を上方に押し上げてポット体から取り出していたために、作業が大変煩わしいと共に、その根土部が崩れ、成長した根を傷める惧れがあった。
また、抜き穴が広径に形成されているために、根の下部が抜き穴からポット体外に向かって成長して、その底部から垂れ下がったようになるので、抜き取り作業がスムーズに行えない難点があった。而して、根の垂れ下がった部分を切断して移植した場合には、移植された苗の成長が極端に悪くなるという難点もあった。
また、ポット体の抜き穴が見え易いように、育苗器全体を曲げるようにして移植作業を行うために、育苗器に亀裂が生じる惧れがあり、繰り返しの使用に耐えられない難点があった。
そこで、本発明は、成長した苗の移植作業時に根を傷めることがなく、極めて簡単な作業で移植が容易にできると共に、何回も繰り返して使用できるようにした育苗器を提供しようとするものである。
【０００４】
【課題を解決するための手段】
上記目的を達成するために、本発明の育苗器は育苗鉢と保持具とからなり、上記育苗鉢は、下部から上部に向かって徐々に広く形成した筒状の小鉢を上端接続部により縦横に多数連接し、上端周縁に鍔部を設け、各小鉢の下端開口部内側には、該開口部内に適合する皿状に形成した底部に小径の水抜き孔を設け、底部を小鉢上端部近くの位置に移動し得る支持脚を底部下側に設けた鉢底を嵌合してあり、上記保持具は、育苗鉢の鍔部を支持して、鉢底で小鉢下端部を閉塞できる位置に育苗鉢を保持し得るように構成してある。
また、前記育苗鉢の各指示脚を載せ得る広さに形成したトレーを育苗鉢の下側に設けて、前記保持具を育苗鉢の周縁部とトレー間に係脱可能に立設する場合もある。
また、育苗鉢の裏面又はトレーの上面適所に所定長さのストッパーを設けて、育苗鉢の降下時、小鉢上端部が鉢底近くの位置で停止し得るようにする場合もある。
また、前記保持具は、保持板の下端部をトレーの周縁部適所に軸着しておく場合もある。
更に、前記育苗鉢は複数個に分割可能に形成することもできるし、前記鉢底の支持脚を、トレー上面に一体に立設するように形成することもできる。
また、前記保持具を角枠状に形成して、その上端で育苗鉢の鍔部及び連接部の裏側を支持できるようにすることもできる。
更に、前記保持具を、育苗鉢の鍔部下側に一体に設けて、前記鉢底で小鉢下端部を閉塞できる位置に育苗鉢を保持し得るようにすることもできる。
【０００５】
【発明の実施の形態】
【実施例１】
以下添付図面に従って本発明の一実施例を説明する。
図１乃至図４において、１は硬質合成樹脂製の育苗鉢であって、下部から上部に向かって徐々に広く形成した角筒状の小鉢２を、その上端外側部を所定間隔ａを置いて互いに連接して、縦方向に１０個、横方向に６個、全体で６０個整列配置してある。また、上記小鉢２は、従来の育苗器のポット体より浅く形成してある。而して、上記育苗鉢１は、カップラ１０により左右方向に３組互いに連結し得るように形成してある。
【０００６】
３は鉢底であって、前記小鉢２の下端開口部４内に適合する皿状に形成し、その底部６の中央部には小径の水抜き孔７を設けると共に、底部６の裏面四隅部には円柱状の支持脚８を夫々垂設してある。
而して、各支持脚８の下端をトレー２０に形成した差込孔２１に挿着することにより、トレー２０上面に一体に立設し得るようにしてある。
【０００７】
又、１１は育苗鉢１の連設部１３下面に所要数垂設した筒状のストッパーであって、トレー２０上面に立設したガイド片２２の外側に緩く嵌装してあり、前記育苗鉢１の降下時、その下端面がトレー２０上面に当たることによって、各小鉢２の上端部が鉢底３近くの位置で停止できるように形成してある。また、１２は、指先で育苗鉢１を下方に押圧し得るように必要に応じ形成した押込片を示す。
【０００８】
又、上記トレー２０は、３組左右に連結した育苗鉢１を載置し得る広さに形成すると共に、その左右両周縁部２４には夫々保持板２３の端部を軸着してある。
而して、前記保持板２３を垂直に起立させて、その他端部を育苗鉢１の鍔部９裏面に係止させると、鉢底３が小鉢２の下端開口部４を塞ぎ得るように形成してある。なお、上記支持脚８の下端は、差込孔２１に挿着することなく、トレー２０の上面に当接しておく場合もある。
【０００９】
次に本発明に係る育苗器において、成長後の苗を取り出す方法を説明する。
先ず、両保持板２３を鍔部９から離脱させ、押込片１２に指を当てて、育苗鉢１を下側に押すと、育苗鉢１はそのストッパー１１の下端面がトレー２０の上面に当たるまで下降する。而して、図３に示すように、苗の根土部ｂの上側部が、小鉢２の上端開口部５より所要高さ押し出されるので、その上側部を持って育苗鉢１より取り出して移植すればよい。
【００１０】
【実施例２】
本実施例においては、図５に示すように、各小鉢２の断面形状を円形に形成してあり、他の構成は上記実施例１と同じである。
【００１１】
【実施例３】
本実施例においては、図６乃至図７に示しように、育苗鉢３１の各小鉢３２を前記実施例１及び実施例２に示す小鉢２より一段と浅く形成すると共に、育苗鉢３１の周縁部に設けた鍔部３３の裏面には凹部３４を形成してある。
また、鉢底３５は、底部３６の隅角部に小径の水抜き孔３７を設けると共に、前記底部の裏面中央部には、円筒形状にして下端部内周に凹溝３９を設けた支持脚３８を垂設してある。
【００１２】
また、トレー４０の上面には、外周に突部４２を設けたピン４１を、所定間隔を置いて縦横に多数突設すると共に、その左右両周縁部の前記育苗鉢３１の凹部３４と相対する位置には、同様の凹部４３を設けてある。
而して、各支持脚３８の下端をピン４１に挿入すると、ピン４１の突部４２が凹溝３９に嵌合することにより、支持脚３８をトレー４０上面に固定し得るようにしてある。
【００１３】
また、保持板５０は、その上端を前記育苗鉢３１の凹部３４に係止すると共に、下端を前記トレー４０の凹部４３に係止して、育苗鉢３１とトレー４０間に立設することにより、各鉢底３３が小鉢３２の下端開口部に位置し得るように形成してある。
【００１４】
【実施例４】
本実施例は、図８乃至図１０に示すように、育苗鉢６０とトレー７０と保持具８０からなっているが、ストッパー９０は、トレー７０上面の中央部及び両側端部に並設して、育苗鉢６０の連接部６１を載置した場合、鉢底６２が小鉢６３の上端部内の近くに位置できるようにしてある。なお、各鉢底６２の支持脚６４はトレー７０の上面に当接してある。
また、保持具８０は、長形板の下側部８１に沿って上記ストッパー９０上側に跨るようにしてスライドできる長溝８２を形成してあり、上側部８３で育苗鉢の連接部６１裏面を支持できるようにしてある。
而して、保持具の長溝８２をストッパー上部に嵌めて、保持具上側部で育苗鉢６０の連接部６１を保持した場合、鉢底６２が各小鉢６３の下端開口部に位置し得るように形成してある。従って、保持具８０をストッパー９０上に差し込んだり、引き出すことにより小鉢６３内における鉢底６２の位置を変えることが出来る。７１はトレー７０両側部に設けた移動用の手掛片を示す。なお、他の構成は前記各実施例と同じである。
【００１５】
【実施例５】
本実施例は、図１１及び図１２に示すように、育苗鉢１００と保持具１１０からなり、トレーは使用していない。
而して、各小鉢１０１の下端開口部１０２は、上記各実施例よりやや小径に形成して、鉢底１０３が小鉢底部より抜け出すことがなく、支持脚１０４が昇降し易いように形成してある。また、各支持脚１０４の下端部には台部１０５を設けて、育苗鉢１００を降下した場合、押し上げられた鉢底１０３が水平状態で安定できるようにしてある。
【００１６】
また、保持具１１０は、矩形状の長板を格子状に組み込むか、結合することにより角枠状に形成してあるが、育苗鉢１００の鍔部と小鉢１０１の連接部１０６を保持具上に載せることにより、鉢底１０３が小鉢１０１の下端開口部に位置し得るように形成すれば良い。
従って、保持具１１０は、苗を移植するまで育苗鉢１００を安定した状態で保持できるものであれば良いから、必ずしも角枠状に結合してあることを必要としない。なお、他の構成は前記各実施例と同じである。
【００１７】
なお、本実施例において、角枠状の保持具１１０は、育苗鉢１００とは別々に形成しておくものであるが、前記保持具１００を育苗鉢の鍔部下側に一体に設けるようにしてもよい。而して、この場合には、各支持脚１０４の台部１０５は、図７で示すような一個のトレー状台板で共通させても良い。
本発明に係る育苗器は合成樹脂で成形したが、自然に腐食する発泡樹脂で成形することもできる。
【００１８】
【発明の効果】
本発明に係る育苗器は、請求項１に記載したように、育苗鉢と保持具からなり、上記育苗鉢は、下部から上部に向かって徐々に広く形成した筒状の小鉢を上端接続部により縦横に多数連接し、上端周縁に鍔部を設け、各小鉢の下端開口部内側には、該開口部内に適合する皿状に形成した底部に小径の水抜き孔を設け、底部を小鉢上端部近くの位置に移動し得る支持脚を底部下側に設けた鉢底を嵌合してあり、上記保持具は、育苗鉢の鍔部を支持して、鉢底で小鉢下端部を閉塞できる位置に育苗鉢を保持し得るように形成してあるから、小鉢内の根土が鉢底で押し上げられた状態で移植できると共に、作業が頗る簡単であって、移植する際に成長した苗の根土部を崩すことがなく、根を傷める惧れがない。
また、小鉢を浅く形成できるので、根が根土部の外周を取り巻くように成長すると共に、鉢底の水抜き孔を小さくしてあるので、根が鉢底上側に溜まるように成長する。従って、苗の抜取りが極めて容易であり、移植作業をスムーズに行うことができる。
また、苗を移植する際に育苗鉢を曲げたりする必要が全くないので、育苗鉢が割れたりする惧れがなく、繰り返し有効に使用することができる。
【００１９】
また、請求項２に記載したように、育苗鉢とトレーと保持具とからなり、上記トレーは、前記育苗鉢の各支持脚を載せ得る広さに形成してあり、上記保持具は、育苗鉢の鍔部とトレー間に係脱可能に立設し、鉢底で小鉢下端部を閉塞できる位置に育苗鉢を保持し得るように形成してあるので、運搬が極めて容易であるから、作業場所まで運ん行き、すぐに移植作業を行うことができる。
【００２０】
また、請求項３記載のように、前記保持具は所要長さの保持板の下端部をトレーの周縁部適所に軸着してあるので、育苗鉢の昇降動作を容易確実に行うことができるとともに、保持具の紛失を生じることもないので便利である。
【００２１】
また、請求項４記載したように、育苗鉢の裏面又はトレーの上面の適所に所定長さのストッパーを設けて、育苗鉢の降下時、小鉢上端部が鉢底近くの位置で停止し得るようにしてあるので、移植時、根土部を最も掴み易い位置まで各小鉢を一定して押し上げることができる。
【００２２】
また、請求項５記載のように、前記育苗鉢は複数個に分割可能に形成してあるので、育苗鉢を苗の育成時には数個結合させた状態で使用し、苗を取出す際には、分離した状態で作業ができるので、苗の移植作業を極めて円滑に行うことができる利点もある。
【００２３】
また、請求項６記載のように、鉢底の支持脚はトレー上面に一体に形成してあるので、育苗鉢の昇降動作を容易且つ確実に行う事ができる。
【００２４】
また、請求項７記載のように、前記保持具は角枠状に形成し、その上端で育苗鉢の鍔部及び連接部裏側を支持できるようにしてあるので、苗の育成及び移植作業を容易且つ確実に行う事ができる。
【００２５】
更に、請求項８記載のように、前記保持具は、育苗鉢の鍔部下側に一体に設けて、前記鉢底で小鉢下端部を閉塞できる位置に育苗鉢を保持し得るように形成してあるので、苗の育成及び移植作業が頗る容易である利点がある。
【００２６】
【図面の簡単な説明】
【図１】
実施例１における育苗器の平面図である。
【図２】
同上正面図である。
【図３】
育成時の状態を示す一部断面図である。
【図４】
苗の取り出し状態を示す一部断面図である。
【図５】
実施例２における育苗器の平面図である。
【図６】
実施例３における育成時の状態を示す一部断面図である。
【図７】
実施例３における苗の取り出し状態を示す一部断面図である。
【図８】
実施例４における育成時の状態を示す一部断面図である。
【図９】
実施例４における苗の取り出し状態を示す一部断面図である。
【図１０】
実施例４における保持具の斜視図である。
【図１１】
実施例５における育成時の状態を示す一部断面図である。
【図１２】
実施例５における苗の取り出し状態を示す一部断面図である。
【符号の説明】
１      育苗器
２      小鉢
３      鉢底
４      下端開口部
５      上端開口部
６      底部
７      水抜き孔
８      支持脚
９      鍔部
１０    カップラー
１１    ストッパー
１２    押込片
１３    連接部
２０    トレー
２１    差込孔
２２    ガイド杆
２３    保持板
３１    育苗鉢
３２    小鉢
３３    鍔部
３４    凹部
３５    鉢底
３６    底部
３７    水抜き孔
３８    支持脚
３９    凹溝
４０    トレー
４１    ピン
４２    突部
４３    凹部
５０    保持板
６０    育苗鉢
６１    連接部
６２    鉢底
６３    小鉢
６４    支持脚
７０    トレー
７１    手掛片
８０    保持具
８２    長溝
９０    ストッパー
１００  育苗鉢
１０１  小鉢
１０２  下端開口部
１０３  鉢底
１０４  支持脚
１１０  保持具
【手続補正３】
【補正対象書類名】図面
【補正対象項目名】図６
【補正方法】変更
【補正の内容】
【図６】
2003079253.tif 000001